(57)【要約】家具本体（２）に対して可動家具部（３）を動かすための、又は、抽斗引出しガイド部（４）のレール（６，７）を動かすための引出入れ装置（９）である。この装置は、可動家具部（３）またはレール（６，７）に力を付勢するために、力貯蔵部（１８）によって付勢される又は付勢可能なタペット（１０）を備える。タペット（１０）は引きレバー（１５）を有し、引きレバー（１５）は、可動家具部（３）またはレール（６，７）と解除可能に連結可能である。引きレバー（１５）は、引きレバー（１５）を、可動家具部（３）または抽斗引出しガイド部（４）のレール（６，７）と連結するために、少なくとも２つの連結箇所（１６ａ，１６ｂ）、または、２つの位置間で可動である１つの可動連結箇所（２５）を有する。２つの連結箇所（１６ａ，１６ｂ）または可動連結箇所（２５）が可動な２つの位置は、引きレバー（１５）の長手方向に沿い間隔をへだてている。【選択図】図３ｂ
2013508099.tif 000002
【特許請求の範囲】
【請求項１】
家具本体（２）に対して相対的に、可動家具部（３）を動かすための、または、抽斗引出しガイド部（４）のレール（６，７）を動かすための引出入れ装置（９）であって、前記可動家具部（３）または前記抽斗引出しガイド部（４）の前記レール（６，７）に力を付勢するために、力貯蔵部（１８）によって付勢される又は付勢可能なタペット（１０）を備えており、ここで、前記タペット（１０）が引きレバー（１５）を有し、前記引きレバー（１５）が、前記可動家具部（３）または前記抽斗引出しガイド部（４）の前記レール（６，７）と解除可能に連結可能である引出入れ装置（９）において、
前記引きレバー（１５）は、前記引きレバー（１５）を、前記可動家具部（３）または前記抽斗引出しガイド部（４）の前記レール（６，７）と連結するために、少なくとも２つの連結箇所（１６ａ，１６ｂ）、または、２つの位置間で可動である１つの可動連結箇所（２５）を有し、
ここで、前記少なくとも２つの連結箇所（１６ａ，１６ｂ）、または、前記可動連結箇所（２５）がその間を可動である前記２つの位置は、前記引きレバー（１５）の長さ方向に沿って、互いに間隔をへだてている、ことを特徴とする引出入れ装置。
【請求項２】
前記引きレバー（１５）は、前記抽斗引出しガイド部（４）の固定部分に可動で支持されているか、又は、本体固定部分に可動で支持されていることを特徴とする請求項１に記載の引出入れ装置。
【請求項３】
前記引きレバー（１５）は、前記抽斗引出しガイド部（４）の可動部分、好ましくはレール（６，７）に可動で支持されていることを特徴とする請求項１に記載の引出入れ装置。
【請求項４】
前記引きレバー（１５）は、回転軸受け（１４）の周りで旋回可能に軸支されていることを特徴とする請求項１〜３のいずれか１項に記載の引出入れ装置。
【請求項５】
前記連結箇所（１６ａ,１６ｂ）は、前記引きレバー（１５）の前記回転軸受け（１４）に対して、半径方向に間隔をとって配置または形成されていることを特徴とする請求項４に記載の引出入れ装置。
【請求項６】
前記連結箇所（１６ａ,１６ｂ）は、通路（２４）により互いに隔てられており、ここで、前記通路（２４）は、前記引きレバー（１５）に連結可能な連結部材（１１）用に設けられていて、前記連結部材を介して、前記可動家具部（３）または前記抽斗引出しガイド部（４）の可動レール（６，７）が開放端部位置および／または閉鎖端部位置へと引かれ得る、ことを特徴とする請求項１〜５のいずれか１項に記載の引出入れ装置。
【請求項７】
前記可動連結箇所（２５）は、前記引きレバー（２５）に対して相対的に変位可能に支持されていることを特徴とする請求項１〜６のいずれか１項に記載の引出入れ装置（図１２）。
【請求項８】
前記可動連結箇所（２５）は、好ましくは閉じた制御カム（２７）に沿ってガイドされることを特徴とする請求項１〜４のいずれか１項または請求項７に記載の引出入れ装置。
【請求項９】
前記可動連結箇所（２５）は、前記制御カム（２７）に沿って走行する少なくとも１つのガイド部材（２６）を有することを特徴とする請求項８に記載の引出入れ装置。
【請求項１０】
前記力貯蔵部（１８）は、少なくとも１つのバネ装置（１８ａ）を有し、前記バネ装置（１８ａ）の付勢は、前記引きレバー（１５）が、前記抽斗引出しガイド部（４）の１つの端部位置または前記可動家具部（３）の１つの端部位置を出発地点として移動することにより変えることができ、ここで、前記引きレバー（１５）は、前記可動家具部（３）または前記抽斗引出しガイド部（４）の前記レール（６，７）が更に移動する際に、付勢された準備完了位置に到達し、前記可動家具部（３）または前記レール（６，７）を解除することを特徴とする請求項１〜９のいずれか１項に記載の引出入れ装置。
【請求項１１】
前記バネ装置（１８ａ）は、前記引きレバー（１５）の作用点（１７）に作用し、ここで、前記作用点（１７）は、前記引きレバー（１５）の前記回転軸受け（１４）からずれた位置に配置されていることを特徴とする請求項１０に記載の引出入れ装置。
【請求項１２】
前記力貯蔵部（１８）により引き起こされた前記引きレバー（１５）の移動は、緩衝装置（２０）により緩衝を受けることができることを特徴とする請求項１〜１１のいずれか１項に記載の引出入れ装置。
【請求項１３】
前記緩衝装置（２０）は、シリンダー（２０ａ）と、前記シリンダー中に変位可能に支持されたピストンとを備えた線形緩衝器であり、前記ピストンはピストンロッド（２０ｂ）を有する、ことを特徴とする請求項１２に記載の引出入れ装置。
【請求項１４】
少なくとも１つの伝達レバー（２１）が設けられており、
前記伝達レバーは、一方では前記引きレバー（１５）と、好ましくは蝶番により連結されていて、他方では、前記線形緩衝器の前記ピストンロッド（２０ｂ）または前記シリンダー（２０ａ）と連結されている、または解除可能に連結可能である、ことを特徴とする請求項１３に記載の引出入れ装置。
【請求項１５】
家具本体に固定されるべき本体レールと、可動家具部に関連付けられた積載レールと、前記本体レールと前記積載レールとの間に変位可能に支持された中央レールとを有する抽斗引出しガイド部において、
前記中央レール（７）と前記積載レール（６）とが、それぞれ１つの連結部材（１１，１２）を有し、前記連結部材が、請求項１〜１４のいずれか１項に記載の引出入れ装置（９）の少なくとも１つの連結箇所（１６ａ，１６ｂ，２５）と解除可能に連結可能であることを特徴とする抽斗引出しガイド部。
【請求項１６】
抽斗引出しガイド部を用いて可動家具部を動かすため、または、家具本体に対して相対的に抽斗引出しガイド部のレールを動かすために、とりわけ請求項１〜１４のいずれか１項に記載の引出入れ装置を有するシステムであって、
当該システムは、前記可動家具部または前記抽斗引出しガイド部の前記レールに対して、力を付勢するために、力貯蔵部により付勢された又は付勢可能なタペットを有し、
前記抽斗引出しガイド部が、家具本体に固定されるべき本体レールと、前記可動家具部に関連付けられた積載レールと、前記本体レールと前記積載レールとの間に変位可能に支持された中央レールとを有し、
前記タペットは、前記可動家具部、または、前記抽斗引出しガイド部の可動レールと解除可能に連結されることができるシステムにおいて、
前記抽斗引出しガイド部（４）の開放用移動時には、前記中央レール（７）が前記タペット（１０）の連結箇所（１６ａ，２５）と連結され、
前記抽斗引出しガイド部（４）の閉鎖用移動時には、前記積載レール（６）が、前記タペット（１０）の前記連結箇所（１６ａ，２５）または第２の連結箇所（１６ｂ）と連結される、ことを特徴とするシステム。
【請求項１７】
請求項１６に記載のシステムを備えた家具。
【発明の詳細な説明】
【技術分野】
【０００１】
本発明は、家具本体に対して相対的に、可動家具部を動かすため、または、抽斗引出しガイド部のレールを動かすための引出入れ装置（即ち、引き入れ(pull-in)または引き出し(pull-out)する装置）であって、可動家具部または抽斗引出しガイド部のレールに力を付勢させるために、力貯蔵部によって付勢されるまたは付勢可能なタペットを備えていて、ここで、タペットが引きレバーを有し、引きレバーが、可動家具部または抽斗引出しガイド部のレールと解除可能に連結可能である引出入れ装置に関する。
【０００２】
更に本発明は、上述の引出入れ装置を備えた抽斗引出しガイド部、抽斗引出しガイド部および引出入れ装置を備えたシステム、並びに、この種のシステムを備えた家具に関する。
【背景技術】
【０００３】
可動家具部を閉鎖端部位置に引入れる装置については、従来技術の多くの構成がすでに公知である。これらの装置は、可動家具部をその最後の閉鎖領域で検知し、その結果、可動家具部は、使用者がさらに力をかけることなく、自動的に家具本体中に引入れられ、その位置で、所定の閉鎖力により保持されている。この可動家具部を開ける際には、使用者は、まず、この可動家具部を引き、タペットを予負荷がかけられた準備完了位置に停止し、かつ可動家具部または抽斗引出しガイド部のレールが再びリリースされるまで、この自動引入れ装置のバネ抵抗に対抗する力をかけねばならない。本出願人の特許文献１中では、タペットが、直線走行路、および、これに続く湾曲部分に沿って走行可能である抽斗用の自動引入れ装置が記載されている。旋回運動を行う引きレバーを備えた自動引入れ装置は、とりわけ、特許文献２中で公知になっている。従来技術による引入れ装置では、所定の状況下（とりわけ、大きくかさばった、重い負荷がかけられた抽斗の場合）で、バネ力に対抗してタペットないし引きレバーを張架するのに、使用者がかける力を著しく大きくしてしまい得るという点が明らかになっている。
【先行技術文献】
【特許文献】
【０００４】
【特許文献１】欧州特許出願公開第０３９１２２１  Ｂ１号明細書
【特許文献２】欧州特許出願公開第１３７４７３３  Ａ１号明細書
【発明の概要】
【発明が解決しようとする課題】
【０００５】
したがって本発明の目的は、冒頭に述べた種類の装置を、上述の欠点を回避して提供することにある。
【課題を解決するための手段】
【０００６】
この目的は、本発明により、特許請求の範囲の請求項１の特徴によって達成される。さらなる有利な構成は、従属請求項で定義されている。
【０００７】
したがって、引きレバーを可動家具部または抽斗引出しガイド部のレールと解除可能に連結するために、引きレバーは、少なくとも２つの連結箇所、または、２つの位置間で可動である１つの連結箇所を有し、ここで、上述の少なくとも２つの連結箇所、または、可動連結箇所がその間を可動である２つの位置は、引きレバーの長さ方向に沿って、互いに間隔をとっている。
【０００８】
換言すれば、可動家具部の開放工程では、または、抽斗引出しガイド部の開放時には、タペットの一方の連結箇所が、可動家具部および／または引出しガイド部の、可動に支持されたレールに連結されるように設けられ得る。逆に、閉鎖工程では、タペットの他方の連結箇所（または、同じ連結箇所であるが、開放工程と比較すると異なる位置にある連結箇所）が、可動家具部および／または抽斗引出しガイド部のレールと連結され得る。
【０００９】
引きレバーの少なくとも一方の「連結箇所」は、少なくとも部分的に形状締結および／または圧力ばめ連結を形成しうる。これにより、引きレバーは、その作用領域中で、対応する連結部材と解除可能に連結可能である。同様に、タペットの連結箇所は、純粋に接触領域として実現することもでき、この場合、引きレバーと連結されるべき連結部材が、少なくとも一時的に緩くこの領域に当接している。更なる構成では、連結部材が、引きレバーの連結箇所においてスライドされて支持されるように設け得る。
【００１０】
とりわけ有利であるのは、本発明による装置が、少なくとも３部分からなるレールシステムを有する抽斗引出しガイド部を備えている場合である。このようなガイド部は、公知のように、家具本体に固定されるべき本体レールと、可動家具部に関連付けられた積載レールと、本体レールと積載レールとの間に変位可能に支持された中央レールとを有する。この種の引出しガイド部は、しばしば、いわゆる完全引出し部ないし差動引出し部として実現される。差動引出し部では、抽斗に関連する積載レールが、動かされる中央レールに対して相対的により速い（例えば、約２倍の）速度で動かされるが、これは、従来技術で公知の同期装置により可能になる。この種の同期装置により、中央レールと積載レールとの間で変位可能に支持されているキャリッジと、本体レールと中央レールとの間で変位可能に支持されているキャリッジ（または、中央レールおよび積載レール自体）とが、常に、互いに対して相対的に所定の速度割合で動くように達成される。出願人による墺国特許第３６０６９９号には、この種の同期装置の可能な実施形態が記載されているが、この文献中では、中央レールに回転可能に支持された小歯車が、形状締結により双方のキャリッジを同期化させる。中央レールに支持された小歯車が、積載レールまたは本体レールのラックと直接噛合することも可能である。同期装置は、中央レールに支持された摩擦車により、または、少なくとも１つの制御ロープにより形成されることもでき、これは、本体レールおよび積載レールに連結されていて、中央レールの２つの連結ローラを介してガイドされている。さらに、当業者には、同期装置を実現させるためのさらなる実施形態の可能性があり、その結果、積載レールは、中央レールよりも速い速度で動き、ここで、この速度比は、実質的に一定でもよいし、可変に形成されることもできる。
【００１１】
この種の制御された抽斗引出しガイド部では、抽斗引出しガイド部の開放用移動の際に、中央レールが引きレバーの第１連結箇所と連結し、この際に、引入れ装置の力貯蔵部が、連結されたバネ付勢される引きレバーを介して、中央レールの移動により付加をかけられる場合、好都合である。中央レールが積載レールよりも遅い速度で動くという事実があるので、力貯蔵部に負荷をかけるために（すなわち、バネ装置を張架するために）必要な力を小さくすることができる。バネ付勢された引きレバーは、したがって、抽斗引出しガイド部の開放用移動時には、所定の経路部分を進んだ後、準備完了状態になり、ここで、中央レールは引きレバーから連結解除され、続いて自由に移動可能になる。本出願人の試みにより、開放用移動時に、中央レールのタペットからの連結解除が不意に起きず、その結果、引きレバーが付勢された準備完了位置に停止し、且つこれに関連してレールが連結解除した際に、可動家具部が実質的に加速するという感じが使用者に伝わらないことも判明した。
【００１２】
逆に、引出しガイド部の閉鎖用移動においては、積載レールが、引きレバーの第２連結箇所に連結されると好都合である。この第２連結箇所は、第１連結箇所から離れた連結箇所であってもよいし、同じ連結箇所であって、閉鎖工程の開始時に、開放工程の開始時から反れた位置を採ってもよい。閉鎖工程に積載レールを関与させることにより、引入れ力ないし場合によっては引入れ移動の緩衝が、積載レール、したがって可動家具部に自身で直接でかけられうるという利点がある。したがって、この引入れ力ないし緩衝力は、本件の場合、抽斗ガイド部の制御部材を介して（すなわち、例えば、キャリッジや同期装置などを介して）伝達されるには及ばない。
【００１３】
引きレバーは、対応する連結部材と解除可能に連結されうるが、この連結部材は、例えば、保持ピンの形態で実現されうる。したがって、中央レールおよび積載レールは、好ましくは本体内側端部において、それぞれ１つの連結部材を有し、これが、引きレバーの連結箇所と解除可能に連結され得る。あるいは、引きレバーは、抽斗引出しガイド部の可動部に、とりわけ、このガイド部の可動レールに接する位置または可動レール中に、または、可動家具部自身に対して配置可能に設けることができ、一方では、対応する連結部材が、抽斗引出しガイド部の本体に固定された部分（とりわけ、本体レール）に、または、家具部自体に配置可能である。
【００１４】
引きレバーは、回転軸受けの周りで旋回可能に軸支されている。この実施形態の利点は、旋回可能に支持された引きレバーが死点位置を越えた後、引きレバーに作用する旋回モーメントが、引入れ経路が大きくなるにしたがって増すことである。したがって、引入れ工程の開始時には、当初の引入れ力はより小さく、可動家具部が完全な閉鎖位置の方向で、この引入れ力が大きくなる。したがって、使用者は、引入れ工程の開始時に、可動家具部が手から離れて引かれるという感じをもたない。
【００１５】
ある有利な構成では、上述の少なくとも２つの連結箇所は、引きレバーの回転軸受けに対して、半径方向に間隔をとって配置されている、または形成されているように設けられている。これに関して、連結箇所が、通路により互いに間隔をとっていて、この通路が、引きレバーに連結可能な連結部材のために設けられていて、この通路を介して可動家具部または抽斗引出しガイド部の可動レールが、開かれた端部位置および／または閉じられた端部位置に引かれうる場合も、好都合である。
【００１６】
本発明のある実施形態によれば、力貯蔵部は、少なくとも１つのバネ装置を有し、このバネ装置の予負荷は、引きレバーが、抽斗引出しガイド部の１つの端部位置または可動家具部の１つの端部位置を出発地点とした移動により変えることができ、ここで、引きレバーは、可動家具部または抽斗引出しガイド部のレールがさらに移動する際に、予負荷がかけられた準備完了位置に到達し、可動家具部またはレールを解除する。このバネ装置は、少なくとも１つの機械的なバネ部材、または、（例えば、ガス圧バネの形態を有する）ガス圧貯蔵部を含み得る。
【００１７】
また、バネ装置が、引きレバーの作用点に作用し、ここで、作用点が、引きレバーの回転軸受けからずれた位置で配置されているように設けることもできる（上死点バネ）。このようにして、死点を越えた後に、それぞれ安定した端部位置に曲げることができる引きレバーを得ることができる。この端部位置の一方では、引きレバーは、連結部材と係合し、他方の端部位置では、連結部材はタペットから連結解除されうる。これに続いて、可動家具部ないし抽斗引出しガイド部のレールを、人が自由に動かすことができる。
【００１８】
本発明の好適な実施形態では、力貯蔵部により引き起こされた引きレバーの移動が、緩衝装置により緩衝を受けることが可能であるように設けることができる。このようにして、とりわけ、可動家具部および／または抽斗引出しガイド部のレールが、最終的な移動経路で緩衝されて動かされ得る。緩衝装置は、液体緩衝器として実施することができるが、これは、例えば、緩衝行程の際に互いに対して相対的に回転可能な緩衝構成部品を２つ備えた回転緩衝器の形態で実施することができる。あるいは、液体室中、とりわけシリンダー中で変位可能なピストンを備えた直線型緩衝器として実施することもできる。このピストンと、ピストンロッドまたはスライダーを連結することができ、これにより、緩衝装置への緩衝移動が引き起こされることができる。
【００１９】
本発明の可能な実施形態では、少なくとも１つの伝達レバーが設けられていて、この伝達レバーが、一方では引きレバーと、好ましくは蝶番により連結されていて、または連結可能であり、他方では、緩衝装置のピストンロッド、液体室、シリンダーおよび／またはスライダーと連結されている、または解除可能に連結可能であるように設けることもできる。ここでは、バネに支持された引きレバーの移動が、伝達レバーを介して、直接緩衝装置に導かれうる。この固定装置を介した解除可能な連結の利点は、緩衝装置が故障した際に問題なく交換可能であるという点である。ここで、この緩衝装置は、少なくとも緩衝工程時には、常に引きレバーと作用連結し、あるいは、オーバーラン緩衝器（又はオーバーラン・ブレーキ）として実現することも可能で、この場合は、あらゆる構成について、ラック・小歯車システムを有利に用いることができる。
【００２０】
本発明の抽斗引出しガイド部は、家具本体に固定されるべき本体レールと、可動家具部に関連付けられた積載レールと、本体レールと積載レールとの間に変位可能に支持された中央レールとを有し、中央レールと積載レールとが、それぞれ１つの連結部材を有し、これらの連結部材が、本発明の引出入れ装置の少なくとも１つの連結箇所と解除可能に連結可能である。
【００２１】
特許権による保護は、家具本体に対して相対的に、可動家具部を動かすため、または、抽斗引出しガイド部のレールを動かすために、引出入れ装置を有するシステムに対しても請求される。この引出入れ装置は、可動家具部または抽斗引出しガイド部のレールに対して、力を付勢するために、力貯蔵部により付勢されるまたは付勢可能なタペットを有し、家具本体に固定されるべき本体レールと、可動家具部に関連付けられた積載レールと、本体レールと積載レールとの間に変位可能に支持された中央レールとを含む抽斗引出しガイド部を有し、ここで、抽斗引出しガイド部の開放用移動時には、中央レールがタペットの１つの連結箇所と連結され、抽斗引出しガイド部の閉鎖用移動時には、積載レールが、タペットのこの連結箇所または第２の連結箇所と連結される。好適な構成では、上述のタペットは、少なくとも２つの連結箇所または少なくとも１つの可動連結箇所を備えた上述の引きレバーを有する。
【００２２】
ここで、開放用移動において、中央レールが連結部材を介して、タペットを、予負荷がかけられた安定した準備完了位置に動かし、ここで、タペットが連結部材を解除する場合、好都合である。
【００２３】
この抽斗引出しガイド部の閉鎖用移動においては、逆に、まず、中央レールに配置されている連結部材が、タペットにおいて、好ましくは、設けられたレバーの通路を通って、実質的に妨げられずにタペットの横を通過することができ、積載レールに配置されている連結部材が、タペットと解除可能に連結されうる場合に有利でありうる。これにより連結されたレールは、続いて、力貯蔵部の力により、開かれたおよび／または閉じられた端部位置へと引かれることができる。
【００２４】
本発明の家具は、上述の様式のシステムにより特徴付けられる。
【００２５】
本発明のさらなる詳細および利点は、以下の図面の説明に基づき説明される。図面中
【図面の簡単な説明】
【００２６】
【図１】家具の透視図（斜視図）であり、抽斗が、抽斗引出しガイド部を介して家具本体に対して相対的に動くように支持されている図である。
【図２】抽斗引出しガイド部の透視図（斜視図）であり、このガイド部は、本体レールと、中央レールと、積載レールと、レールの動きを制御するために概略的に示唆された同期装置とを有する。
【図３ａ】様々な方向から見た本発明の引出入れ装置の一実施形態を示す図であり、この引出入れ装置は、２つの互いに離れた連結箇所を有し、かつバネ付勢された引きレバーを有する。
【図３ｂ】様々な方向から見た本発明の引出入れ装置の一実施形態を示す図。
【図３ｃ】様々な方向から見た本発明の引出入れ装置の一実施形態を示す図。
【図４】開放工程の開始時点の抽斗引出しガイド部の、後方端部領域の透視図（斜視図）である。
【図５】図４に示した引出入れ装置が、後の時点の位置にあるところを示す図であり、この際、中央レールが引きレバーの第１連結部材から連結解除されるところを示す図である。
【図６】中央レールが、引きレバーの連結箇所から完全に解除されたところを示す図である。
【図７】抽斗引出しガイド部の閉鎖工程の開始時点を示す図であり、積載レールが引きレバーの第２連結箇所と連結されるところを示す図である。
【図８】引きレバーの第２連結箇所により、積載レールがさらに引入れられて移動するところを示す図である。
【図９】抽斗引出しガイド部が完全な閉鎖位置にあるところを示す図である。
【図１０ａ】抽斗引出しガイド部の開放工程を時間的な経過に従って示す図。
【図１０ｂ】抽斗引出しガイド部の開放工程を時間的な経過に従って示す図。
【図１０ｃ】抽斗引出しガイド部の開放工程を時間的な経過に従って示す図。
【図１０ｄ】抽斗引出しガイド部の開放工程を時間的な経過に従って示す図。
【図１１ａ】抽斗引出しガイド部の閉鎖工程を時間的な経過に従って示す図。
【図１１ｂ】抽斗引出しガイド部の閉鎖工程を時間的な経過に従って示す図。
【図１１ｃ】抽斗引出しガイド部の閉鎖工程を時間的な経過に従って示す図。
【図１１ｄ】抽斗引出しガイド部の閉鎖工程を時間的な経過に従って示す図。
【図１２ａ】引出入れ装置（引入れおよび／または引出し装置）の更なる実施形態を示す図であり、ここでは、引きレバーは、少なくとも２つの位置の間で可動である１つの連結箇所を有し、抽斗引出しガイド部の開放工程と閉鎖工程とを時間的な経過にしたがって示した図である。
【図１２ｂ】引出入れ装置の更なる実施形態を示す図（図１２ａと同旨の図）。
【図１２ｃ】引出入れ装置の更なる実施形態を示す図（図１２ａと同旨の図）。
【図１２ｄ】引出入れ装置の更なる実施形態を示す図（図１２ａと同旨の図）。
【図１２ｅ】引出入れ装置の更なる実施形態を示す図（図１２ａと同旨の図）。
【図１２ｆ】引出入れ装置の更なる実施形態を示す図（図１２ａと同旨の図）。
【発明を実施するための形態】
【００２７】
図１は、家具本体２を備えた家具１の透視図（斜視図）であり、この図中、抽斗３は、抽斗引出しガイド部４を介して、家具本体２に対して相対的に変位可能に支持されている。明瞭にするために、、一番上の抽斗３を消去しており、その結果、家具本体２に固定されるべき抽斗引出しガイド部４がより詳細に見える。抽斗引出しガイド部４は、家具本体２に固定されるべき本体レール５と、この本体レール５に対して相対的に可動である中央レール７と、抽斗３と連結されるべき積載レール６とを有し、その結果、家具本体２に対して抽斗３を相対的に完全に引き出すことが可能となる。
【００２８】
図２は、図１に示した抽斗引出しガイド部４の透視図（斜視図）である。ここで認識できるのは、家具本体２（図１）に固定されるべき本体レール５と、抽斗３に連結されるべき積載レール６であり、ここで、本体レール５と積載レール６との間に中央レール７が変位可能に支持されている。レールの動きを同期化させるために同期装置８には、中央レール７に回転可能に支持されている小歯車が設けられている。本体レール５と中央レール７との間には、（図示しない）第１キャリッジが変位可能に支持されていて、中央レール７と積載レール６との間には、（図示しない）第２キャリッジが変位可能に支持されていて、これらのキャリッジはそれぞれ、噛合部を介して、同期装置８の小歯車と噛合し、連結していて、これにより、レール５・６・７間での均等で制御された動きが引き起こされうる。抽斗引出しガイド部４の本体内側端部では、引出入れ装置９が配置されていて、これは、図示した実施形態では、抽斗引出しガイド部４の少なくとも１つの可動レール６・７を引入れるため、ないし、抽斗３を閉鎖端部位置へと引入れるために設けられている。引出入れ装置９は、可動に支持されたタペット１０を有し、このタペット１０は、可動レール６・７と解除可能に連結可能である。この解除可能な連結のために、中央レール７は第１連結部材１１を有し、積載レール６は第２連結部材１２を有する。抽斗引出しガイド部４が、完全に閉じた位置から開かれると、まず、中央レール７のみが連結部材１１を介して引出入れ装置９のタペット１０と係合し、その結果、中央レール７のさらなる開放用移動時に、タペット１０が動かされ、これにより、ここでは不図示のバネ装置の形態を有する力貯蔵部に負荷がかけられうる。抽斗引出しガイド部４の閉鎖用移動時には、このガイド部の開放位置から出発して、逆に積載レール６の連結部材１２が、タペット１０と係合し、このタペット１０が、予負荷がかけられた力貯蔵部により積載レール６を完全な閉鎖位置へと引入れる。同期装置８により制御されたシステムであるがゆえに、中央レール７は、積載レール６の速度の約半分の速度で移動する。中央レール７がゆっくりと移動することにより、かける力を小さくしても、力貯蔵部に負荷をかけることができる（滑車の原理）。抽斗引出しガイド部４の閉鎖は、逆に、積載レール６を引入れることにより行われる。この際、バネ装置の力、ないし、レール６・７の移動を緩衝させる緩衝装置の制動力が、直接積載レール６にかけられる。
【００２９】
図３ａ〜３ｃは、様々な方向から見た引出入れ装置９を示す図である。図３ａは、本体に固定された基体１３を備えた引出入れ装置９の側面図である。この基体１３は引出入れ装置を収容ないし支持するためのものである。タペット１０は、回転軸受け１４の周りを旋回可能に支持された引きレバー１５を有し、この引きレバー１５は、この引きレバー１５の長さ方向に沿って互いに距離をとって隔てられている２つの連結箇所１６ａ・１６ｂを担持している。この双方の連結箇所１６ａ・１６ｂは、引きレバー１５の回転軸受け１４に対して半径方向の距離が異なるようにして配置されている。引きレバー１５は、力貯蔵部１８用の作用点１７を有し、ここで、この作用点１７は、引きレバー１５の回転軸受け１４からずれて配置されている。力貯蔵部１８は、例えば押圧バネの形態のバネ装置１８ａを少なくとも１つ有する。バネ装置１８ａの他方の端部は、基体１３のバネ基部１９に支持されている。引きレバー１５は、この図においては、安定した端部位置にあり、旋回によりないし死点位置を越えた後は、第２の安定した端部位置に曲がり、この際、バネ１８ａは張架されている。ここでは不図示のバネ１８ａの張架位置では、可動レール６・７（図２）が、端部位置に引かれ、続いて、引きレバー１５が再び図３ａに示した位置を採る。この引入れ移動を緩衝させるために、緩衝装置２０が存在し、この装置は、この図示した実施形態では、シリンダー２０ａと、シリンダーに対して相対的に移動可能なピストンロッド２０ｂ（これは、シリンダー２０ａ中に変位可能に支持されたピストンを備えている）を有する（図３ｂ）。これに代えて、従来技術より公知の他の全ての緩衝装置２０（とりわけ、液体緩衝器）を採用することも可能であり、また、例えば、ラック・小歯車システムを備えた回転緩衝器も採用することができる。力貯蔵部１８により引き起こされる引きレバー１５の移動を緩衝させるために、伝達レバー２１が設けられていて、この伝達レバーが、一方では、蝶番２２を介して引きレバー１５と連結されていて、他方では、固定装置２３を介して、緩衝装置２０のシリンダー２０ａと（好ましくは、解除可能に）連結されている。この伝達レバー２１と緩衝装置２０のシリンダー２０ａとの間に解除可能な固定装置２３を設けることにより、とりわけ、緩衝装置２０が故障した際に、これを問題なく交換可能であるという利点がある。図３ｂは、引出入れ装置９を上から見た透視図（斜視図）である。この図中、とりわけ、シリンダー２０ａから突出した緩衝装置２０のピストンロッド２０ｂが見えるが、ここで、ピストンロッド２０ｂの自由端部は、基体１３のストッパーで支持される。緩衝装置２０の緩衝行程時ないし復帰行程時には、したがって緩衝装置２０のシリンダー２０ａが、基体１３に対して変位する。図３ｃは、下からみた引出入れ装置９の透視図（斜視図）である。
【００３０】
図４は、本体レール５と、中央レール７と、積載レール６とを備えた抽斗引出しガイド部４の透視図（斜視図）である。この図中、引出入れ装置９は、抽斗引出しガイド部４を完全に閉じるために設けられている。引出入れ装置９の基体１３は、本体に固定されていて、すなわち、本体レール５に、または家具本体２にも直接（図１）固定される。図４は、抽斗引出しガイド部４の開放工程が開始したところを示す図であり、ここで、中央レール７の連結部材１１は、引きレバー１５を、下方連結箇所１６ａを介して、バネ１８ａの力に対抗して引く。これにより、バネ１８ａは張架される。逆に、積載レール６の連結部材１２は、開放工程時には連結されないままである。双方の連結部材１１・１２は、この図示した実施形態では、それぞれピンとして形成されていて、意図した組み立て位置では、レール６・７から（好ましくは水平に）突き出ている。
【００３１】
図５は、抽斗引出しガイド部４がさらに開いた位置を示す図である。連結部材１２を有する積載レール６が中央レール７よりも迅速に、開放位置の方向に動いたことがわかる。この図中、中央レール７の連結部材１１が、追加の機能部材がなくても自身で解除されるまで、レバー１５が時計周り方向に旋回可能となったために、中央レール７の連結部材１１が、引きレバー１５の連結箇所１６ａから、まさに連結解除した瞬間を示す図である。したがって、引きレバー１５の連結点１７の領域が、くぼ地状の凹部中に押し入れられるほど、引きレバー１５が回転軸受け１４の周りを旋回した。これにより、引きレバー１５は、閉鎖工程用に設けられた準備完了位置内に動かずに留まり続けることができる。この引出入れ装置９のバネ１８ａは、この位置で完全に負荷を受ける。
【００３２】
図６は、抽斗引出しガイド部４がさらに開いた位置にあるところを示す図である。この図では、中央レール７が、引きレバー１５の連結箇所１６ａから完全に解除され、この時点で中央レール７が積載レール６と同様に、使用者により自由に動かすことができる。引きレバー１５は、この間もバネ１８によりさらに予負荷を受けた停止位置に保持されている。
【００３３】
図７は、抽斗３が、図６に示された位置から出発して閉鎖方向に移動する際に、抽斗引出しガイド部４の閉鎖用移動のプロセスを示す図である。閉鎖用移動時には、中央レール７の連結部材１１は、まず、２つの連結箇所１６ａ・１６ｂとの間にある、引きレバー１５用の通路２４を通って動き、この際、中央レール７の連結部材１１は、引きレバー１５と接触しない。これに代わって、積載レール６の連結部材１２が、引きレバー１５の上方連結箇所１６ｂと作用連結する。積載レール６のさらなる閉鎖用移動時には、引きレバー１５が、積載レール６の連結部材１２によって、予負荷がかけられた準備完了位置から解除され、これに続いて、引きレバー１５が、死点位置を越えた後に、連結部材１２（および、したがって積載レール６）を、付勢されたバネ装置１８ａの力によって、閉鎖位置の方向へと引き（図８参照）、この間、中央レール７の下方連結部材１１は、この閉鎖用移動に全く関与しない。積載レール６は、したがって、図８から出発して、さらに閉鎖方向へと、図９に示した完全な閉鎖位置に達するまで、引かれ続ける。留意すべきは、引きレバー１５は、その旋回移動によって、弓状の軌道を描き、これにより、積載レール６の連結部材１２は、完全な端部位置に達する少し前にも解除される。図９に示した完全な閉鎖位置では、したがって、積載レール６の連結部材１２は、引きレバー１５から完全に連結解除されている。ここで、抽斗引出しガイド部４が、図示した完全な閉鎖位置から再び開放方向へと動くと、開放用移動において、再び、中央レール７の下方連結部材１１が作動を始める。これは、図４〜６中ですでに詳細に説明したとおりである。
【００３４】
図１０ａ〜１０ｄに、再度、抽斗引出しガイド部４の開放用移動の経過を示す。図１０ａに示す完全な閉鎖位置から出発して、まず、中央レール７の連結部材１１のみが、引きレバー１５として形成されたタペット１０と、すなわち連結箇所１６ａと係合する。積載レール６の連結部材１２は、開放用移動時には連結されていない。開放用移動の途中に、バネ１８ａは、引きレバー１５を介して張架され、この引きレバー１５は、中央レール７の外方向に出る移動により旋回させられる。これは、図１０ｂに図示したとおりである。積載レール６は、この際、連結されていず、開放工程において、使用者に対して実質的に抵抗をかけない。図１０ｃは、中央レール７の連結部材１１が、引きレバー１５の旋回移動により解除される時点を示す図である。図１０ｄでは、中央レール７が引きレバー１５から完全に連結解除され、積載レール６と同様に、人により自由に動かしうる。
【００３５】
図１１ａ〜１１ｄは、抽斗引出しガイド部４の閉鎖用移動の経過を示す図である。中央レール７の連結部材１１は、閉鎖用移動時には、まず、引きレバー１５の通路２４を通って妨げられることなく移動し、この際、引きレバー１５と連結しない。これは、図１１ｂに示したとおりである。逆に、積載レール６の連結部材１２は、引きレバー１５の他方の連結箇所１６ｂと接触し、ここで、抽斗引出しガイド部４のさらなる閉鎖用移動時には、積載レール６が引きレバー１５を旋回させ、これに続いて、バネ装置の力が作用し始め、引きレバー１５を旋回させ、これにより、引きレバー１５と連結された積載レール６が閉鎖方向へ引かれる。これは、図１１ｃよりわかる。図１１ｄでは、抽斗引出しガイド部４が、完全に閉じた位置にあるところを示す。この図中、積載レール６の連結部材１２は、引きレバー１５から連結解除されている。積載レール６の引入れ移動を緩衝させるために、緩衝装置２０を設けることができる。これは、図３ａ〜３ｃですでに説明したとおりである。
【００３６】
図１２ａ〜１２ｆは、本発明の更なる実施形態（第２実施形態）を示す図である。図１２ａは、本体レール５と、中央レール７と、積載レール６とを有する抽斗引出しガイド部４を示す図である。この図面中、レール６・７は、小歯車を備えた同期装置８（この装置は、図２ですでに説明済み）によって同期化される。引出入れ装置９は、これまでの図の装置９と実質的には等しく形成され得る。しかし、図１２ｂでは、引きレバー１５の互いに距離をとって隔てられている２つの連結箇所１６ａ・１６ｂの代わりに、ここでは、唯一の連結箇所２５が、引きレバー１５に設けられていて、この連結箇所が、少なくとも２つの互いにそれた位置の間で、引きレバー１５の長さ方向に沿って可動であるように支持されている。可動連結箇所２５は、引きレバー１５の長孔状の凹部内部に、この引きレバー１５に対して変位可能に支持されていて、ここで、可動連結箇所２５は、引きレバー１５の回転軸受け１４に対して相対的に高さを調節することができるように支持されている。引きレバー１５の可動連結箇所２５は、少なくとも１つの、好ましくはピン形状のガイド部材２６を有し、このガイド部材２６が、基体１３の（好ましくは閉じた）制御カム２７に沿ってガイドされている。この制御カム２７は、図示した実施形態では、少なくともほぼ台形形状に形成されている。可動連結箇所２５は、中央レール７ないし積載レール６の双方の連結部材１１・１２が、連結箇所２５に沿ってスライドされるように支持されうるように形成されている。したがって、図１２ｂに示すように、抽斗引出しガイド部４が、完全な閉鎖位置から開放位置の方へと移動する際には、連結箇所２５のガイド部材２６も、中央レール７の連結部材１１によって、まずは溝状の制御カム２７の水平部分に沿って引かれる。制御カム２７の水平部分に続いて、制御カム２７の上昇傾斜を有する部分へと移行し、これによって、連結箇所２５のガイド部材２６は、抽斗引出しガイド部４がさらなる開放用移動をする際に持ち上げられる。この可動連結箇所２５の持ち上げによって、中央レール７の連結部材１１も解除され、一方では、連結箇所２５が、傾斜を有する制御カム２７の上方端部に動かされ、ここで準備完了位置に保持される。これは図１２ｃに示したとおりである。図１２ｃの抽斗引出しガイド部４の双方の可動レール６・７は、したがって、連結されない状態でさらに開放位置の方向へ動かされ得る。
【００３７】
抽斗引出しガイド部４の閉鎖工程では、積載レール６の連結部材１２が、持ち上げられた連結箇所２５と接触する。これは、図１２ｄに示したとおりである。この閉鎖用移動では、与えられた力によりバネに負荷がかけられた引きレバー１５の死点が乗り越えられ、続いて、積載レール６の連結部材１２が可動連結箇所２５を越えて、負荷が外れるバネ装置１８ａの力によって閉鎖位置へと引かれる。これは図１２ｅに示したとおりである。この引入れ移動を緩衝するために、図３ａ〜３ｃで説明した緩衝装置２０を設けることができる。さらなる閉鎖用移動では、ガイド部材２６が制御カム２７の降下部分によって、積載レール６の上方の連結部材１２から連結解除され、これに続いて、したがって、可動連結箇所２５が、制御カム２７でガイドされたガイド部材２６を介して、下方に移動し、ここで再び中央レール７の連結部材１１上に押し入れられる。中央レール７は、図２ないし図１２ａに示した同期装置８により、すでにこのために設けられた閉鎖位置にある。図１２ｆによれば、抽斗引出しガイド部４は、次の開放工程のために、準備完了位置に達している。
【００３８】
本発明は、図示した実施形態に限定されるものではなく、以下の特許請求の範囲に入りうる全ての変形例および技術的等価物も包括する、又は、これも対象としている。また、本説明中で選択した位置の指摘（例えば、上方、下方、側方など）は、説明ないし提示した図に直接関連するものであり、新しい位置に転用するのも理にかなっている。
【符号の説明】
【００３９】
２  家具本体
３  抽斗（ひきだし）（可動家具部）
５  本体レール
６  抽斗引出しガイド部（４）の積載レール
７  抽斗引出しガイド部（４）の中央レール
９  引出入れ装置
１５  タペット（１０）の引きレバー
１６ａ，１６ｂ  引きレバー（１５）の連結箇所
１８  力貯蔵部、１８ａ  バネ
２５  可動連結箇所（図１２ｂ等）
【図１】
2013508099.tif 000003
【図２】
2013508099.tif 000004
【図３ａ】
2013508099.tif 000005
【図３ｂ】
2013508099.tif 000006
【図３ｃ】
2013508099.tif 000007
【図４】
2013508099.tif 000008
【図５】
2013508099.tif 000009
【図６】
2013508099.tif 000010
【図７】
2013508099.tif 000011
【図８】
2013508099.tif 000012
【図９】
2013508099.tif 000013
【図１０ａ】
2013508099.tif 000014
【図１０ｂ】
2013508099.tif 000015
【図１０ｃ】
2013508099.tif 000016
【図１０ｄ】
2013508099.tif 000017
【図１１ａ】
2013508099.tif 000018
【図１１ｂ】
2013508099.tif 000019
【図１１ｃ】
2013508099.tif 000020
【図１１ｄ】
2013508099.tif 000021
【図１２ａ】
2013508099.tif 000022
【図１２ｂ】
2013508099.tif 000023
【図１２ｃ】
2013508099.tif 000024
【図１２ｄ】
2013508099.tif 000025
【図１２ｅ】
2013508099.tif 000026
【図１２ｆ】
2013508099.tif 000027
【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
家具本体（２）に対して相対的に、可動家具部（３）を動かすための、または、抽斗引出しガイド部（４）のレール（６，７）を動かすための引出入れ装置（９）であって、前記可動家具部（３）または前記抽斗引出しガイド部（４）の前記レール（６，７）に力を付勢するために、力貯蔵部（１８）によって付勢される又は付勢可能なタペット（１０）を備えており、ここで、前記タペット（１０）が引きレバー（１５）を有し、前記引きレバー（１５）を介して、前記可動家具部（３）または前記抽斗引出しガイド部（４）のレール（６，７）を、前記家具本体（２）に対して相対的に開放端部位置または閉鎖端部位置に引くことができ、ここで、前記引きレバー（１５）が、前記可動家具部（３）または前記抽斗引出しガイド部（４）の前記レール（６，７）と解除可能に連結可能である引出入れ装置（９）において、
前記引きレバー（１５）は、前記引きレバー（１５）を、前記可動家具部（３）または前記抽斗引出しガイド部（４）の前記レール（６，７）と連結するために、少なくとも２つの連結箇所（１６ａ，１６ｂ）、または、２つの位置間で可動である１つの可動連結箇所（２５）を有し、
ここで、前記少なくとも２つの連結箇所（１６ａ，１６ｂ）、または、前記可動連結箇所（２５）がその間を可動である前記２つの位置は、前記引きレバー（１５）の長さ方向に沿って、互いに間隔をへだてている、ことを特徴とする引出入れ装置。
【請求項２】
前記引きレバー（１５）は、前記抽斗引出しガイド部（４）の固定部分に可動で支持されているか、又は、本体固定部分に可動で支持されていることを特徴とする請求項１に記載の引出入れ装置。
【請求項３】
前記引きレバー（１５）は、前記抽斗引出しガイド部（４）の可動部分、好ましくはレール（６，７）に可動で支持されていることを特徴とする請求項１に記載の引出入れ装置。
【請求項４】
前記引きレバー（１５）は、回転軸受け（１４）の周りで旋回可能に軸支されていることを特徴とする請求項１〜３のいずれか１項に記載の引出入れ装置。
【請求項５】
前記連結箇所（１６ａ,１６ｂ）は、前記引きレバー（１５）の前記回転軸受け（１４）に対して、半径方向に間隔をとって配置または形成されていることを特徴とする請求項４に記載の引出入れ装置。
【請求項６】
前記連結箇所（１６ａ,１６ｂ）は、通路（２４）により互いに隔てられており、ここで、前記通路（２４）は、前記引きレバー（１５）に連結可能な連結部材（１１）用に設けられていて、前記連結部材を介して、前記可動家具部（３）または前記抽斗引出しガイド部（４）の可動レール（６，７）が開放端部位置および／または閉鎖端部位置へと引かれ得る、ことを特徴とする請求項１〜５のいずれか１項に記載の引出入れ装置。
【請求項７】
前記可動連結箇所（２５）は、前記引きレバー（１５）に対して相対的に変位可能に支持されていることを特徴とする請求項１〜６のいずれか１項に記載の引出入れ装置。
【請求項８】
前記可動連結箇所（２５）は、好ましくは閉じた制御カム（２７）に沿ってガイドされることを特徴とする請求項１〜４のいずれか１項または請求項７に記載の引出入れ装置。
【請求項９】
前記可動連結箇所（２５）は、前記制御カム（２７）に沿って走行する少なくとも１つのガイド部材（２６）を有することを特徴とする請求項８に記載の引出入れ装置。
【請求項１０】
前記力貯蔵部（１８）は、少なくとも１つのバネ装置（１８ａ）を有し、前記バネ装置（１８ａ）の付勢は、前記引きレバー（１５）が、前記抽斗引出しガイド部（４）の１つの端部位置または前記可動家具部（３）の１つの端部位置を出発地点として移動することにより変えることができ、ここで、前記引きレバー（１５）は、前記可動家具部（３）または前記抽斗引出しガイド部（４）の前記レール（６，７）が更に移動する際に、付勢された準備完了位置に到達し、前記可動家具部（３）または前記レール（６，７）を解除することを特徴とする請求項１〜９のいずれか１項に記載の引出入れ装置。
【請求項１１】
前記バネ装置（１８ａ）は、前記引きレバー（１５）の作用点（１７）に作用し、ここで、前記作用点（１７）は、前記引きレバー（１５）の前記回転軸受け（１４）からずれた位置に配置されていることを特徴とする請求項１０に記載の引出入れ装置。
【請求項１２】
前記力貯蔵部（１８）により引き起こされた前記引きレバー（１５）の移動は、緩衝装置（２０）により緩衝を受けることができ、ここで、前記緩衝装置（２０）は、シリンダー（２０ａ）と、前記シリンダー中に変位可能で支持されたピストンとを備えた線形緩衝器であり、前記ピストンはピストンロッド（２０ｂ）を有する、ことを特徴とする請求項１〜１１のいずれか１項に記載の引出入れ装置。
【請求項１３】
少なくとも１つの伝達レバー（２１）が設けられており、
前記伝達レバーは、一方では前記引きレバー（１５）と、好ましくは蝶番により連結されていて、他方では、前記線形緩衝器の前記ピストンロッド（２０ｂ）または前記シリンダー（２０ａ）と連結されている、または解除可能に連結可能である、ことを特徴とする請求項１２に記載の引出入れ装置。
【請求項１４】
家具本体に固定されるべき本体レールと、可動家具部に関連付けられた積載レールと、前記本体レールと前記積載レールとの間に変位可能に支持された中央レールとを有する抽斗引出しガイド部において、
前記中央レール（７）と前記積載レール（６）とが、それぞれ１つの連結部材（１１，１２）を有し、前記連結部材が、請求項１〜１３のいずれか１項に記載の引出入れ装置（９）の少なくとも１つの連結箇所（１６ａ，１６ｂ，２５）と解除可能に連結可能であることを特徴とする抽斗引出しガイド部。
【請求項１５】
抽斗引出しガイド部を用いて可動家具部を動かすため、または、家具本体に対して相対的に抽斗引出しガイド部のレールを動かすために、とりわけ請求項１〜１３のいずれか１項に記載の引出入れ装置を有するシステムであって、
当該システムは、前記可動家具部または前記抽斗引出しガイド部の前記レールに対して、力を付勢するために、力貯蔵部により付勢された又は付勢可能なタペットを有し、
前記抽斗引出しガイド部が、家具本体に固定されるべき本体レールと、前記可動家具部に関連付けられた積載レールと、前記本体レールと前記積載レールとの間に変位可能に支持された中央レールとを有し、
前記タペットは、前記可動家具部、または、前記抽斗引出しガイド部の可動レールと解除可能に連結されることができるシステムにおいて、
前記抽斗引出しガイド部（４）の開放用移動時には、前記中央レール（７）が前記タペット（１０）の連結箇所（１６ａ，２５）と連結され、
前記抽斗引出しガイド部（４）の閉鎖用移動時には、前記積載レール（６）が、前記タペット（１０）の前記連結箇所（１６ａ，２５）または第２の連結箇所（１６ｂ）と連結される、ことを特徴とするシステム。
【請求項１６】
請求項１５に記載のシステムを備えた家具。
【国際調査報告】
2013508099.tif 000028
2013508099.tif 000029
2013508099.tif 000030
2013508099.tif 000031
2013508099.tif 000032
2013508099.tif 000033